(57)【要約】【課題】  本発明は、ＬＥＤの光をカバー全体に効率よく反射することができるリフレクタの構造を有し、構造が簡単で安価なマーカーランプを提供することを目的とする。【解決手段】  マーカーランプ１は、ＬＥＤ５からの光を反射させる円柱状のリフレクタ１０と、そのリフレクタ１０の外周に沿ってＬＥＤ５を配置したプリント基板６とを設けた。リフレクタ１０は、上方に延びるに従い湾曲状であって円形状に外に向かって広がる傘部１３を設け、傘部１３の頭部には円弧状に突出した突出面１１を設けたことによって、カバー２の下方から上方まで広範囲に亘って、ＬＥＤ５の光を反射させることができるので、マーカーランプ１はＬＥＤ５からの光を効率よく反射することができる。【選択図】 図２
2010009981.tif 000002
【特許請求の範囲】
【請求項１】
光源となる複数のＬＥＤからの光を透過させるドーム状のカバーと、前記カバーを着脱自在に装着するランプボディと、から構成されたマーカーランプであって、
前記ランプボディは、当該ランプボディの中央に配置し、前記ＬＥＤからの光を反射させる円柱状のリフレクタと、当該リフレクタの外周に沿って前記ＬＥＤを配置したプリント基板と、を設け、
前記リフレクタは、上方に延びるに従い湾曲状であって円形状に外に向かって広がる傘部を設けたことを特徴とするマーカーランプ。
【請求項２】
前記ＬＥＤの光源部の少なくとも一部が、平面における前記傘部の先端に隠れない位置に配置されていることを特徴とする請求項１に記載のマーカーランプ。
【請求項３】
前記傘部の幅方向の大きさは、前記先端と同一水平方向における前記カバーの幅寸法の３分の１の大きさに設け、前記カバーの内面と前記先端との間に空間を設けたことを特徴とする請求項２に記載のマーカーランプ。
【請求項４】
前記傘部の頭部には、入射した光を天井に向かって反射させる面状の反射面を設けたことを特徴とする請求項１乃至請求項３のいずれか一項に記載のマーカーランプ。
【請求項５】
前記反射面は、カバーの天井の中央に向かって突出した突出面を設けたことを特徴とする請求項４に記載のマーカーランプ。
【請求項６】
前記突出面を円弧状に形成したことを特徴とする請求項５に記載のマーカーランプ。
【請求項７】
前記傘部の下端から前記先端までの高さは、カバー全体の２分の１の高さ位置に設け、前記カバーの天井の内面と前記反射面との間に空間を設けたことを特徴とする請求項４乃至請求項６のいずれか一項に記載のマーカーランプ。
【発明の詳細な説明】
【技術分野】
【０００１】
本発明は、トラック等の大型車両における車幅や側面や前照灯に使用される目印や装飾として使用されるマーカーランプに関するものである。
【背景技術】
【０００２】
従来から、消費電力が小さく球切れの心配がない等の理由により発行ダイオード(ＬＥＤ)がマーカーランプや車幅灯や前照灯などに採用されてきている。特に、ドライバーが右左折する際に、巻き込み防止や路肩と車体の位置を見えやすくするために、車の側面位置の目印として使用している。そのため、ドライバーからサイドミラーを通して、マーカーランプの側面はもちろんマーカーランプ全体をムラなく均一に発光させるために内部や外部に様々な反射機構が提案されてきている。
多数見られるのは、その中でもマーカーランプの内部に、筒状の金属やプラスチックで形成され、全面を鏡面状に仕上げたリフレクタと呼ばれる反射機構を備えたマーカーランプがある（例えば、特許文献１、特許文献２、特許文献３がある）。
【０００３】
【特許文献１】特開２００６−３０２７５８号公報（段落００４２、図１）
【特許文献２】特開平９−３３０６０４号公報（図１）
【特許文献３】特開平１０−３１９０５号公報（図１）
【発明の開示】
【発明が解決しようとする課題】
【０００４】
図１０には従来の一般的なマーカーランプ１００が示されている。図１０（Ａ）は、従来のマーカーランプ１００におけるリフレクタ１０４が光を反射するときの内部を側面から現した図であり、図１０（Ｂ）は、従来のマーカーランプ１００におけるリフレクタ１０４が光を反射するときの内部を上方から現した図である。図１０（Ａ）のハッチングは、リフレクタ１０４に反射した光が、カバー１０３に映る箇所を示している。
このマーカーランプ１００は、ドーム状の黄色やオレンジの色が付いた透過性のあるカバー１０３が設けられ、このカバー１０３に光があたり、カバー１０３全体が発光して見える。上述のように、プラスチックや金属に鏡面加工した円錐状のリフレクタ１０４が中央に設けられており、このリフレクタ１０４によって側方に反射させる構造となっている。
【０００５】
しかしながら、この構造においては、側方へ光を照射するには、４つのＬＥＤ１０２の光をリフレクタ１０４の外面に反射させてカバー１０３の側面を光らせているため、図１０に示すように、リフレクタ１０４に反射する光は、僅かな箇所しかカバー１０３に反射させることしかできず、カバー１０３の下方から上方まで全体に光を反射させることは困難であった。
また、カバー１０３の天井まで照らすことを考慮すると、リフレクタ１０４が邪魔になりリフレクタ１０４の内部を中空の円筒状に形成し、中央にもＬＥＤ１０２を配置し、カバー１０３の天井を照らす必要があった。そのため、マーカーランプ１００内に発生する熱やコストを考慮すると、できる限りＬＥＤ１０２の数を減したいという要望に応えることができなかった。
【０００６】
そこで、本発明は、ＬＥＤの光をカバー全体に効率よく反射することができるリフレクタの構造を有するマーカーランプを提供することを目的とする。
【課題を解決するための手段】
【０００７】
請求項１記載のマーカーランプ（マーカーランプ１）は、光源となる複数のＬＥＤ（ＬＥＤ５）からの光を透過させるドーム状のカバー（カバー２）と、前記カバー（カバー２）を着脱自在に装着するランプボディ（ランプボディ３）と、から構成されたマーカーランプ（マーカーランプ１）であって、前記ランプボディ（ランプボディ３）は、当該ランプボディ（ランプボディ３）の中央に配置し、前記ＬＥＤ（ＬＥＤ５）からの光を反射させる円柱状のリフレクタ（リフレクタ１０）と、当該リフレクタ（リフレクタ１０）の外周に沿って前記ＬＥＤ（ＬＥＤ５）を配置したプリント基板（プリント基板６）と、を設け、前記リフレクタ（リフレクタ１０）は、上方に延びるに従い湾曲状であって円形状に外に向かって広がる傘部（傘部１３）を設けたことを特徴とする。
以上の構成によって、マーカーランプは、カバーの下方から上方まで広範囲に亘って、ＬＥＤの光を反射させることができるので、ＬＥＤからの光を効率よく反射することができる。
【０００８】
請求項２記載のマーカーランプ（マーカーランプ１）は、前記ＬＥＤ（ＬＥＤ５）の光源部（光源部３０）の少なくとも一部が、平面における前記傘部（傘部１３）の先端（先端２０）に隠れない位置に配置されていることを特徴とする。
以上の構成によって、マーカーランプは光源部の光を直接カバーの天井付近まで届けることができるので、ＬＥＤからの光を効率よく利用することができる。
【０００９】
請求項３記載のマーカーランプ（マーカーランプ１）は、前記傘部（傘部１３）の幅方向の大きさを、前記先端（先端２０）と同一水平方向における前記カバー（カバー２）の幅寸法の３分の１の大きさに設け、前記カバー（カバー２）の内面（内面８）と前記先端（先端２０）との間に空間を設けたことを特徴とする。
以上の構成によって、マーカーランプは、光源部の光を直接カバーの天井付近まで届けることができるので、ＬＥＤからの光を効率よく利用することができる。
【００１０】
請求項４記載のマーカーランプ（マーカーランプ１）は、前記傘部（傘部１３）の頭部には、入射した光を天井５０に向かって反射させる面状の反射面（突出面１１、頭部反射面４１）を設けたことを特徴とする。
以上の構成によって、マーカーランプは、反射面に再反射してカバーに届くので、余すとこなく光を反射さることができるので、効率よくカバー全体を光らせることができる。
【００１１】
請求項５記載のマーカーランプ（マーカーランプ１）は、前記反射面が、カバー（カバー２）の天井５０（天井５０）の中央に向かって突出した突出面（例えば、円弧状、円錐状、三角錐状、四角錐状）を設けたことを特徴とする
以上の構成によって、マーカーランプは、反射面がカバーの内面に乱反射した光を集光して、カバーの天井部分まで光が届かせることができる。従って、マーカーランプは、余すとこなく光を反射さることができるので、効率よくカバー全体を光らせることができる。
【００１２】
請求項６記載のマーカーランプ（マーカーランプ１）は、前記突出面（突出面１１）を円弧状に形成したことを特徴とする。
以上の構成によって、マーカーランプは、突出面を円弧状に形成したことにより、四角や三角のように見る角度に影響なく、均等に反射することができるので、効率よく内面に乱反射した光を集光して、カバーの天井部分まで光を届かせることができる。従って、マーカーランプは、余すとこなく光を反射さることができるので、効率よくカバー全体を光らせることができる。
【００１３】
請求項７記載のマーカーランプ（マーカーランプ１）は、前記傘部（傘部１３）の下端から前記先端（先端２０）までの高さは、カバー全体の２分の１の高さ位置に設け、前記カバー（カバー２）の天井（天井５０）の内面（内面８）と前記突出面（突出面１１）との間に空間を設けたことを特徴とする。
以上の構成によって、マーカーランプは、カバーの天井の内面と前記突出面との間に空間を設けたので、カバーの内面で乱反射した光を突出面で取り得入れやすくなり、更に効率よく光を利用することができる。
【発明の効果】
【００１４】
本実施の形態のマーカーランプは、リフレクタによってＬＥＤの光をカバー全体に効率よく反射することができる。
【発明を実施するための最良の形態】
【００１５】
以下に、本発明を実施するための最良の形態を図１乃至図６に基づいて説明する。図１は、本実施の形態におけるマーカーランプがトラックの側面に装着されている状態を現す概要図であり、図２は、本実施の形態におけるマーカーランプの内部構造を現した斜視図であり、図３は、本実施の形態におけるマーカーランプの内部構造を現した平面図であり、図４は、本実施の形態におけるマーカーランプの内部構造を現した断面図であり、図５は、本実施の形態におけるマーカーランプの内部構造を側面から現した概要図であり、図６は、本実施の形態における他の実施例のマーカーランプの内部構造を側面から現した概要図である。
【００１６】
図１に示すように、マーカーランプ１はトラックＴの車体の側面に装着され、カバー２、ランプボディ３とパッキン７とから構成されている。
カバー２は、黄色やオレンジ色の透過性の樹脂や硝子でドーム状に形成されており、カバー２の内面８には、後述するＬＥＤ５の光やリフレクタ１０から反射した光を拡散させるようにレンズカットが施されている。
そして、カバー２の下部はランプボディ３の固定台座４と嵌合するように図示しない溝が施され、カバー２を回して固定台座４に固定できるようになっている。また、カバー２と固定台座４の嵌合部分は、ゴム等の素材で形成された防水用のパッキン７が外周に設けられている。
【００１７】
図２乃至図５に示すように、ランプボディ３は、固定台座４と、プリント基板６と、リフレクタ１０とから構成されている。ランプボディ３は円形状に設けられ、車体側からの電気配線を接続するため図示しない孔や車体側へボルトで固定するための孔となるボルト孔１７が設けられている。
プリント基板６は、円形状に設けられ、リフレクタ１０を中心に均等に１２０度づつ回転させて３個のＬＥＤ５を周設している。図３に示すように上方から見るとＬＥＤ５の光源を発する光源部３０は、傘部１３に全て覆われることなく、一部が露出して見える位置のプリント基板６上に配置されている。
また、図２又は図４に示すようにプリント基板６は、ランプボディ９から起立した４つ基板支持部材９で支持されており、固定台座４の中央で、固定台座４から円柱状に延びた挟持片１８とリフレクタ１０との間に挟持されている。
【００１８】
図４又は図５に示すように、リフレクタ１０は、円柱状に形成された支柱を設け、上方に従って湾曲し、円形状に外側に広がるような所謂ラッパ状に形成された傘部１３を設けている。また、その傘部１３の頭部には、円弧状にカバー２の中央に向かって突出した突出面１１を設けている。そして、リフレクタ１０は、樹脂で形成され、その上に光を反射することができるように鏡面の塗装（メッキ）が、リフレクタ１０全体に施されている。また、リフレクタ１０は、挟持片１８を貫通した固定ビス１６によって固定されている。
リフレクタ１０の傘部１３の幅寸法Ｃは、カバー２のＡ−Ｂ間の寸法の１／３程度の大きさを有しており、カバー２の内面８からリフレクタ１０までの間に空間が空いている。また、傘部１３の先端２０の高さ方向の位置（Ａ−Ｂ）は、カバー２の天井５０からカバー２下端までの寸法Ｄの約半分の所に位置しており、カバー２の天井５０からリフレクタ１０までの間にも空間が設けられている。  
（他の実施例）  
【００１９】
図６は、本実施の形態における他の実施例のマーカーランプの内部構造を側面から現した概要図である。上述した実施例と同じ構造の箇所には、同一符号が付してある。上記実施例と異なる箇所は、突出面１１がなく、リフレクタ１０の傘部１３の頭部は、鏡面に塗装された平坦な円形状の頭部反射面４１を設けていることである。
（本実施形態におけるマーカーランプの表示作用及び効果）
【００２０】
本実施形態におけるマーカーランプ１の表示作用を図７乃至図９に基づいて以下に説明する。図７は、マーカーランプのリフレクタが光を反射するとき状態を現した概要図であり、図８は、マーカーランプのリフレクタが光を反射するとき状態の一部を拡大した概要図であり、図９は、マーカーランプのリフレクタが光を反射するとき状態のを傘部付近を拡大した概要図である。
【００２１】
図７又は図８に示すように、ＬＥＤ５の光源部３０から光がリフレクタ１０に向かって照射されると、リフレクタ１０は全体を塗装した鏡面によって光を反射させている。例えば、リフレクタ１０のａ点に照射されると、リフレクタ１０の鏡面に鋭角に反射して光線ａのように反射され、カバー２を透過して光が進む。また、リフレクタ１０のｂ点に照射されると、リフレクタ１０の鏡面に鈍角（角ｂ）に反射して光線ｂのように反射され、カバー２を透過して光が進む。更に、リフレクタ１０の傘部１３の先端２０付近のｃ点に照射されると、リフレクタ１０の鏡面に鋭角（角ｃ）に反射して光線ｃのように反射され、カバー２を透過して光が進む。このように、リフレクタ１０は、広範囲に亘って光を反射させることができる。特に、傘部１３の先端２０（ｃ点付近）は、鋭角に反射し、ＬＥＤ５の光源部３０によって直接届かない箇所にも光を届けている（光線ｃ）。
【００２２】
また、ＬＥＤ５の光源を発する光源部３０は、上方から眺めた平面において傘部１３に全て覆われることなく、一部が露出して見える位置にＬＥＤ５が配置されているため、ＬＥＤ５の光源部３０の光が直接、光線ｄのようにカバー２の天井５０付近まで届いている。
更に、リフレクタ１０やカバー２の内面８に乱反射した光は、光線ｅのように乱反射しながら、傘部１３の鏡面塗装された突出面１１によってカバー２の天井５０付近に反射される。また、カバー２の内面形状がすり鉢を逆にした形状をとることに、ランプボディ３のリフレクタ１０が設けられた中央に向かって乱反射される。
【００２３】
図９は、更に詳細にカバー２の内面８に乱反射した光が反射する様子を現した図である（点線は突出面１１の反射を示し、実線は頭部反射面４１の反射を示している。）
カバー２の内面８に乱反射した光は、頭部反射面４１の鏡面で再反射した場合には、入射角βで入り、反射角βで反射して反対側のカバー２に届く。このようにリフレクタ１０は、リフレクタ１０全体を使用して余すとこなく光を反射させている。
また、突出面１１の鏡面で再反射した場合には、入射角αで入り反射角αで反射してカバー２に届くが、円弧状に突出した突出面１１の方が、同じ角度で入射されても頭部反射面４１に比較して、カバー２の天井５０の中央に向かって集光することがわかる（α・γ）。従って、光源部３０が直接光が届かない箇所であっても、この突出面１１が集光する作用によって、カバー２の天井５０まで光を届かせることができる。そして、リフレクタ１０全体を使用して余すとこなく光を反射させているのである。
【００２４】
以上における本実施例から把握される効果を以下に詳述する。
（１）本実施例のマーカーランプ１は、ランプボディ３の中央に配置され、ＬＥＤ５からの光を反射させる円柱状のリフレクタ１０を設けたことによって、リフレクタ１０に空洞を設けて、ランプボディ３の中央にＬＥＤ５を配置する必要がないため、ＬＥＤ５の数を減らすことができ、構造が簡単で安価に製造することができる。
【００２５】
（２）本実施例のマーカーランプ１は、そのリフレクタ１０が、上方に延びるに従って湾曲状であって円形状に外に向かって広がる傘部１３を設けたこによって、カバー２の下方から上方まで広範囲に亘って、ＬＥＤ５の光を反射させることができるので、効率よく反射することができる。
【００２６】
（３）本実施例のマーカーランプ１は、ＬＥＤ５の光源部３０が、平面において傘部１３の先端２０に隠れない位置に配置されているので、光源部３０の光を直接カバー２の天井５０付近まで光を届けることができる。
【００２７】
（４）本実施例のマーカーランプ１は、傘部１３の幅方向の大きさが、傘部１３の先端２０と同一水平方向のカバー２の幅寸法の約３分の１の大きさに設け、カバー２の内面８と前記先端２０との間に空間を設けたので、光源部３０の光を直接カバー２の天井５０付近まで届けることができる。
【００２８】
（５）本実施例のマーカーランプ１は、傘部１３の頭部に、入射した光を天井５０に向かって反射させる面状の反射面（突出面１１、頭部反射面４１）を設けたので、乱反射した光は反射面（突出面１１、頭部反射面４１）に再反射してカバー２に届くので、マーカーランプ１は、余すとこなく光を反射さることができる。従って、マーカーランプ１は、効率よくカバー２全体を光らせることができる。
【００２９】
（６）本実施例のマーカーランプ１は、傘部１３の頭部に、カバー２の中央に向かって突出した突出面１１を設けたので、カバー２の内面８に乱反射した光を集光して、カバー２の天井５０の中央に向かって反射させることができる。そして、このようにしてリフレクタ１０は、余すとこなく光を反射さることができるので、効率よくカバー２全体を光らせることができる。
【００３０】
（７）本実施例のマーカーランプ１は、傘部１３の先端２０までの高さが、ランプカバー２全体の２分の１の高さに設け、カバー２の内面８と突出面１１との間に空間を設けたので、突出面１１は、カバー２の内面８で乱反射した光を取り得入れやすくなり、マーカーランプ１は、更に効率よく光を利用することができる。
【００３１】
（８）本実施例のマーカーランプ１は、リフレクタ１０が、固定台座４から円柱状に延びた挟持片１８とそのリフレクタ１０とで挟持し、プリント基板６を固定する固定手段を兼ねているので、簡単に安価な構造でプリント基板６やリフレクタ１０を一度に固定することができる。更に、挟持片１８によって、プリント基板６は上下方向に安定して固定されている。
【００３２】
（９）本実施例のマーカーランプ１は、カバー２の内面形状がすり鉢を逆にした形状をとることに、リフレクタ１０のある中央に向かって乱反射させるので、反射面（突出面１１、頭部反射面４１）は、カバー２の内面８に乱反射した光を集光して、カバー２の天井５０部分まで光を届かせることができる。そして、このようにしてリフレクタ１０は、余すとこなく光を反射さることができるので、効率よくカバー２全体を光らせることができる。
【００３３】
（１０）本実施例のマーカーランプ１は、突出面１１を円弧状に設けたので、カバー２の内面８に乱反射した光を均等に集光し、カバー２の中央に向かって光を届かせることができる。そして、三角状や四角状のように見る角度によって、光の見え方が異なるようなことはない。このようにしてリフレクタ１０は、余すとこなく光を反射さることができるので、効率よくカバー２全体を光らせることができる。
（他の実施形態への変更例）
【００３４】
以上説明した実施形態を他の実施形態へ変更した例を以下に示す。
・ＬＥＤ５は、同一基板状に設けたて説明したが、別基板として分離して設けた構造であっても良い。
・ＬＥＤ５は、チップタイプのものを使用したが、砲弾型の形状のＬＥＤであっても良い。
・カバー２は、円錐や三角錐や箱状も含む。
・固定台座４とカバー２の固着は、螺着構造を採用したが、嵌合構造をビスで固定する構造であっても良い。
・突出面１１は、円弧状で説明したが、カバー２の天井５０の中央に向かって集光することができるような構造、例えば円錐状、三角錐状、四角錐状、多角錐状であっても良い。
【図面の簡単な説明】
【００３５】
【図１】本実施の形態におけるマーカーランプがトラックの側面に装着されている状態を現す概要図。
【図２】本実施の形態におけるマーカーランプの内部構造を現した斜視図。
【図３】本実施の形態におけるマーカーランプの内部構造を現した平面図。
【図４】本実施の形態におけるマーカーランプの内部構造を現した断面図。
【図５】本実施の形態におけるマーカーランプの内部構造を側面から現した概要図。
【図６】本実施の形態における他の実施例のマーカーランプの内部構造を側面から現した概要図。
【図７】本実施の形態におけるマーカーランプのリフレクタが光を反射するとき状態を現した概要図。
【図８】本実施の形態におけるマーカーランプのリフレクタが光を反射するとき状態の一部を拡大した概要図。
【図９】本実施の形態におけるマーカーランプのリフレクタが光を反射するとき状態のを傘部付近を拡大した概要図。
【図１０】（Ａ）従来のマーカーランプにおけるリフレクタが光を反射するときの内部を側面から現した図、（Ｂ）従来のマーカーランプにおけるリフレクタを上方から現した図。
【符号の説明】
【００３６】
１，１００・・・マーカーランプ、２，１０３・・・カバー、３・・・ランプボディ、
４・・・固定台座、５，１０２・・・ＬＥＤ、６・・・プリント基板、
７・・・パッキン、８・・・内面、９・・・基板支持部材、
１０，１０４・・・リフレクタ、１１・・・反射面としての突出面、１２・・・支柱、  １３・・・傘部、１６・・・固定ビス、１７・・・ボルト孔、１８・・・挟持片、
１９・・・固定孔、
２０・・・先端、３０・・・光源部、４１・・・反射面としての頭部反射面、
５０・・・天井、Ｔ・・・トラック。
【図１】
2010009981.tif 000003
【図２】
2010009981.tif 000004
【図３】
2010009981.tif 000005
【図４】
2010009981.tif 000006
【図５】
2010009981.tif 000007
【図６】
2010009981.tif 000008
【図７】
2010009981.tif 000009
【図８】
2010009981.tif 000010
【図９】
2010009981.tif 000011
【図１０】
2010009981.tif 000012